(57)【要約】【課題】ＬＥＤを用いた照明装置を天井に取り付ける際の説明書き・注意書きや、透光カバーを照明装置本体に取り付ける際の説明書き・注意書きなどが記載された表示部が見易く、ＬＥＤからの発光を妨げる恐れのない照明装置を提供する。【解決手段】本体ベースと、該本体ベースに取り付けられる放熱体と、該放熱体の下面側に配置され主に下面側を照らすＬＥＤを複数有するＬＥＤ基板と、ＬＥＤカバーと、を有する照明装置本体と、該照明装置本体に取り付けられる透光カバーと、からなる照明装置において、前記ＬＥＤカバーは、前記本体ベースに取り付けるためのカバーつば部と、前記ＬＥＤ基板を覆うカバー覆い部と、前記カバーつば部と前記カバー覆い部とをつなぐカバー傾斜部とを有し、前記カバー傾斜部に、説明書き又は注意書きが記載された表示部を設ける。【選択図】図４
2016039044.tif 000002
【特許請求の範囲】
【請求項１】
本体ベースと、該本体ベースに取り付けられる放熱体と、該放熱体の下面側に配置され主に下面側を照らすＬＥＤを複数有するＬＥＤ基板と、ＬＥＤカバーと、を有する照明装置本体と、該照明装置本体に取り付けられる透光カバーと、からなる照明装置において、
前記ＬＥＤカバーは、前記本体ベースに取り付けるためのカバーつば部と、前記ＬＥＤ基板を覆うカバー覆い部と、前記カバーつば部と前記カバー覆い部とをつなぐカバー傾斜部とを有し、
前記カバー傾斜部に、説明書き又は注意書きが記載された表示部を設けることを特徴とする照明装置。
【発明の詳細な説明】
【技術分野】
【０００１】
本発明は、照明装置に関するものである。
【背景技術】
【０００２】
近年、照明装置として、ＬＥＤを用いたものが多くなってきている（特許文献１参照）。
【先行技術文献】
【特許文献】
【０００３】
【特許文献１】特開２０１４−６７５２９号公報
【発明の概要】
【発明が解決しようとする課題】
【０００４】
ＬＥＤを用いた照明装置を天井に取り付ける際の説明書き・注意書きや、透光カバーを照明装置本体に取り付ける際の説明書き・注意書きなどが記載された表示部が見易く、ＬＥＤからの発光を妨げる恐れのない照明装置の提供を目的とする。
【課題を解決するための手段】
【０００５】
本発明は、上記目的を解決するために、本体ベースと、該本体ベースに取り付けられる放熱体と、該放熱体の下面側に配置され主に下面側を照らすＬＥＤを複数有するＬＥＤ基板と、ＬＥＤカバーと、を有する照明装置本体と、該照明装置本体に取り付けられる透光カバーと、からなる照明装置において、前記ＬＥＤカバーは、前記本体ベースに取り付けるためのカバーつば部と、前記ＬＥＤ基板を覆うカバー覆い部と、前記カバーつば部と前記カバー覆い部とをつなぐカバー傾斜部とを有し、前記カバー傾斜部に、説明書き又は注意書きが記載された表示部を設けることを特徴とする。
【発明の効果】
【０００６】
本発明によれば、ＬＥＤを用いた照明装置を天井に取り付ける際の説明書き・注意書きや、透光カバーを照明装置本体に取り付ける際の説明書き・注意書きなどが記載された表示部が見易く、ＬＥＤからの発光を妨げる恐れのない照明装置を提供することができる。
【図面の簡単な説明】
【０００７】
【図１】照明装置１の全体斜視図である。
【図２】図１の照明装置１の分解斜視図である。
【図３】照明装置１の正面図である。
【図４】照明装置１から透光カバー３を外した状態の正面図である。
【図５】照明装置１の側面図である。
【図６】照明装置１の断面図である。
【図７】照明装置１から透光カバー３を外した状態の拡大断面図である。
【発明を実施するための形態】
【０００８】
本発明の実施に係る形態について、以下、図面を用いて説明する。図１は、照明装置１の全体斜視図である。図２は、図１の照明装置１の分解斜視図である。図３は、照明装置１の正面図である。図４は、照明装置１から透光カバー３を外した状態の正面図である。図５は、照明装置１の側面図である。図６は、照明装置１の断面図である。図７は、照明装置１から透光カバー３を外した状態の拡大断面図である。
【０００９】
本例では以下、照明用光源として発光ダイオード（ＬＥＤ）を用いたＬＥＤ照明装置として説明するが、照明用光源はＬＥＤに限定されるものではない。また、本例のＬＥＤ照明装置は略円形状としたが、形状はこれに限定されるものではない。
【００１０】
ＬＥＤ照明装置は、例えばＬＥＤシーリングライトとして、家屋の天井面に設けられる引掛ローゼットや引掛シーリングなどの屋内配線器具（不図示）に係合する取付アダプタを介することによって外部電源に接続されると共に、天井面の所定位置に固定されて利用に供される。なお、以下の説明において、特に断らない限り、照明装置が天井面に取り付けられた状態を基準として、天井側を「上面側」と呼び、その反対側（床側）を「下面側」と呼ぶ。
【００１１】
図１に示すように、照明装置１は、照明装置本体２と、照明装置本体２に取り付けられる透光カバー３と、を備える。
【００１２】
図２に示すように、照明装置１は、天井側に近い部材から、略円形状の本体ベース１５と、絶縁板１３と、電源基板１２と、放熱体１１と、照明用のＬＥＤ基板８と、ＬＥＤカバー６と、からなる照明装置本体２と、透光カバー３とを備えて構成されている。なお、透光カバー３は、照明装置本体２から着脱自在である。
【００１３】
本体ベース１５は、例えば金属板などを略円形状に加工成形した部品である。本体ベース１５の中央には、略円形状の孔である器具取付部１５ａが設けられている。器具取付部１５ａには、取付アダプタ１６が引掛け部を介して係合固定される。この取付アダプタ１６は、天井側の屋内配線器具に係合固定される。これにより、本体ベース１５を含む照明装置１は、取付アダプタ１６、器具取付部および屋内配線器具をそれぞれ介して、天井面の所定位置に固定されるようになっている。
【００１４】
器具取付部の近傍には、不図示の給電接続部が設けられている。給電接続部は、不図示の電線を介して、取付アダプタ１６と電源基板１２との間を電気的に接続している。これにより、照明装置１は、屋内配線器具、取付アダプタ１６、および給電接続部をそれぞれ介して給電を受けるようになっている。
【００１５】
絶縁板１３は、本体ベース１５と、放熱体１１との間に介在させて設けられている。本体ベース１５および放熱体１１は、いずれも金属製で、例えばプレコートメタル（ＰＣＭ）鋼板である。これに対し、絶縁板１３は、電気絶縁性および難燃性を有する例えばポリプロピレン（ＰＰ）などの樹脂材料を用いて成形されている。
【００１６】
電源基板１２は、絶縁板１３の外縁に突設された基板係止部を介して絶縁板１３に保持されている。絶縁板１３は、本体ベース１５にねじ止め固定されている。これにより、電源基板１２は、本体ベース１５および放熱体１１によって囲まれた放熱空間内に、電気絶縁性を維持した状態で係止固定されている。
【００１７】
放熱体１１は、側面視で略凸形状の部材である。放熱体１１は、本体ベース１５に取り付けるための放熱体つば部１１１と、ＬＥＤ基板７を載置する載置部１１３と、放熱体つば部１１１と載置部１１３とをつなぐ放熱体傾斜部１１２と、からなる。
【００１８】
ここで、照明用のＬＥＤ基板７とＬＥＤカバー６と、を合わせて照明用光源と呼ぶこととする。照明用光源において、ＬＥＤ基板８は、それぞれが共通の略扇形状の４枚の基板を含んで構成されてもよい。これら４枚の基板は、放熱体１１の所定位置に取り付けられた状態において、全体として略ドーナツ形状を形成するようになっている。
【００１９】
ＬＥＤ基板８には、複数のＬＥＤが半田付けにより実装されている。これらのＬＥＤは、作動時に光を放射すると共に発熱し、それら自体の温度が上昇する。ＬＥＤは、温度が高くなるにしたがって、その発光効率が低下してゆく。また、寿命も短くなってゆく。このため、温度上昇に見合った適切な放熱手段を別途設ける必要がある。
【００２０】
放熱体１１は、電源基板１２、および、複数のＬＥＤが実装されたＬＥＤ基板８を放熱により冷却する役割を果たす。これらの基板は、その作動時に発熱する。一般に、半導体素子であるＬＥＤは、熱に弱い性質がある。また、使用時には低電圧の大電流を流して高輝度発光を行うため、この発光に伴う発熱によってＬＥＤそれ自体や周囲の部材が劣化する恐れがある。かかる劣化を抑制して長寿命・高信頼性を実現するには、適切な放熱を行うことが求められる。
【００２１】
電源基板１２、およびＬＥＤ基板８が発熱すると、本体ベース１５および放熱体１１によって囲まれた放熱空間の雰囲気温度は上昇する。このとき、放熱空間の容積が小さいと、そこに収容される空気の量は少なくなる。その結果、空気の接触による放熱効果が低下してしまうため、放熱空間の容積はできるだけ大きい方が好ましい。また、熱伝導性を良好に維持する観点から、放熱体１１は、略円錐台形状で、継ぎ目なく一体に成形されることが好ましい。こうした放熱体１１は、金属製の薄板をプレス成形することによって製造される。
【００２２】
なお、複数のＬＥＤには、例えば、白色系統の光束を放射する白色系統ＬＥＤや、暖色系統の光束を放射する暖色系統ＬＥＤなどが採用可能である。白色系統ＬＥＤや暖色系統ＬＥＤとしては、例えば、青色の光束を放射する青色ＬＥＤと黄色の蛍光体とを組み合わせることによって、青色発光と黄色発光とが合成されて白色光や暖色光（例えばオレンジ色など）を放射するものなどを適宜採用すればよい。
【００２３】
ＬＥＤカバー６は、側面視で略凸状の部材である。ＬＥＤカバー６は、本体ベース１５に取り付けるためのカバーつば部６１と、ＬＥＤ基板８を覆うカバー覆い部６３と、カバーつば部６１とカバー覆い部６３とをつなぐカバー傾斜部６２と、を有する。
【００２４】
カバー覆い部６３は、平面部６３１とドーム部６３２とを有する。ドーム部６３２の中でも、径方向外側に位置する外側ドーム部６３２ａと、径方向内側に位置する内側ドーム部６３２ｂとに分かれる。
【００２５】
ＬＥＤカバー６は、ＬＥＤ基板８上の複数のＬＥＤより発せれた光束を下面側（床側）へ導く機能、複数のＬＥＤに係る給電線への接触を物理的に妨げる機能、および、ＬＥＤ基板８を放熱体１１に対して密着させるように押し付ける機能を有している。
【００２６】
図７は、照明装置１から透光カバー３を外した状態の拡大断面図であり、ＬＥＤ基板８にＬＥＤカバー６を取り付けた状態を示している。図示のように、複数のＬＥＤは、それぞれ対応する複数のドーム形状部を介して光を出射するように構成されている。本例では、１つのＬＥＤを、１つのドーム部６１２内に収容しているが、ドーム部６１２内に収容されるＬＥＤの数はこれに限定されない。
【００２７】
ＬＥＤカバー６は、例えばポリカーボネート（ＰＣ）やアクリル（ＰＭＭＡ）、ポリスチレン（ＰＳ）などの、透光性および電気絶縁性を有する樹脂を用いて一体成形される。
この樹脂を用いた一体成形と、各ＬＥＤからの光をそれぞれ通過させる複数のドーム部６１２とが相まって、ＬＥＤカバー６の剛性を確保すると共に、放熱体１１に対するＬＥＤ基板８の密着性を向上するようにしている。
【００２８】
ここで、照明装置１には、取付アダプタ１６などにより照明装置本体２を天井に取り付ける際の説明書き・注意書きや、透光カバー３を照明装置本体２に取り付ける際の説明書き・注意書きなどが記載された表示部６４が設けられる。表示部６４は、シールの添付や、部材の加工などにより設けられる。
【００２９】
照明装置１は天井に取り付けるものであるため、取り付ける際に読みやすいよう表示部６４は下面側（床側）を向くよう設けられることが望ましい。
【００３０】
但し、例えば透光カバー３の下面側（床側）や、ＬＥＤカバー６のカバー覆い部６３に表示部６４を設けると、ＬＥＤからの発光が妨げられることになり望ましくない。
【００３１】
また、本体ベース１５や、ＬＥＤカバー６のカバーつば部６１などに表示部６４を設けると、ＬＥＤからの発光が妨げられる恐れはないが、読みづらくなる恐れがある。
【００３２】
本例では、表示部６４はＬＥＤカバー６のカバー傾斜部６２に設けられる。表示部６４をカバー傾斜部６２に設けることにより、表示部６４を本体ベース１５やカバーつば部６１に設けるものよりも見易く、かつＬＥＤからの発光が妨げられることがない、という効果を奏する。
【００３３】
放熱体１１とＬＥＤカバー６との間は、ＬＥＤ基板８を介在させて放熱体１１に対してＬＥＤカバー６をねじ止め固定する構成を採用している。これにより、放熱体１１に対するＬＥＤ基板８の密着性が高くなり、放熱性を向上することができる。このため、発光面の密度が均一で、かつ、ＬＥＤの発光効率に優れた照明装置１を実現することができる。
【００３４】
さらに、ＬＥＤカバー６に対する適正な位置にＬＥＤの配置を矯正すると共に、ＬＥＤ基板８の反りや変形を軽減するといった効果もある。
【００３５】
透光カバー３は、放熱体１１の裾野部に固定された取付具によって、吊り下げ状態で係合保持される。具体的には、例えば、透光カバー３を周方向反時計回りに回転させることによって、透光カバー３に突設したつば部６３が外れるようになっている。透光カバー３は、例えばアクリル（ＰＭＭＡ）などの透光性樹脂を用いて一体成形される。
【００３６】
なお、主照明用光源による照明は、上述のように、複数のＬＥＤの発光色および蛍光体を選択し、その両者の組み合わせで所望の色温度を得るようにされている。別の実施の形態として、主照明用光源のＬＥＤも、それぞれＲＧＢの３種のＬＥＤを含むものとし、その３種のＬＥＤの出力を調整することで、上述の補助照明用光源と同様な色の照明光を得るようにしてもよい。
【符号の説明】
【００３７】
１        照明装置
２        照明装置本体
３        透光カバー
６        ＬＥＤカバー
６１      カバーつば部
６２      カバー傾斜部
６３      カバー覆い部
６３１    平面部
６３２    ドーム部
６３２ａ  外側ドーム部
６３２ｂ  内側ドーム部
６４      表示部
８        ＬＥＤ基板
１１      放熱体
１２      電源基板
１３      絶縁板
１５      本体ベース
１６      取付アダプタ
Ａ        拡大範囲
【図１】
2016039044.tif 000003
【図２】
2016039044.tif 000004
【図３】
2016039044.tif 000005
【図４】
2016039044.tif 000006
【図５】
2016039044.tif 000007
【図６】
2016039044.tif 000008
【図７】
2016039044.tif 000009